(57)【要約】【課題】格納設備のために大きなコスト負担を要することなく、作業者の作業環境の改善を図ることができる簡易な構成のコンバインを提供する。【解決手段】コンバインは、機体外側に臨んで穀物を袋詰めするためのホッパー装置（４）と、このホッパー装置（４）の下方の部位から機体外側端に及ぶ範囲に形成した穀物袋詰め作業のための作業デッキ（５）とを備えるコンバインにおいて、上記ホッパー装置（４）の上部から作業デッキ（５）の上方を覆って機体外側方まで張出し可能に可撓性の遮光シート（１４）を設けたものである。【選択図】図３
2010094088.tif 000002
【特許請求の範囲】
【請求項１】
機体外側に臨んで穀物を袋詰めするためのホッパー装置（４）と、このホッパー装置（４）の下方の部位から機体外側端に及ぶ範囲に形成した穀物袋詰め作業のための作業デッキ（５）とを備えるコンバインにおいて、
上記ホッパー装置（４）の上部から作業デッキ（５）の上方を覆って機体外側方まで張出し可能に可撓性の遮光シート（１４）を設けたことを特徴とするコンバイン。
【請求項２】
前記ホッパー装置（４）の外側に沿って延びる作業者用の手摺（１１）を設け、この手摺（１１）に基部を軸支することによって揺動可能に可動フレーム（２２）を設け、この可動フレーム（２２）に前記遮光シート（１４）の外側端を取付けたことを特徴とする請求項１記載のコンバイン。
【請求項３】
前記ホッパー装置（４）の外側方に張出し可能に袋詰め作業者用の背もたれ部材（１３）を設け、この背もたれ部材（１３）と前記可動フレーム（２２）との間を連結部材（２５）によって連動動作可能に連結したことを特徴とする請求項２記載のコンバイン。
【発明の詳細な説明】
【技術分野】
【０００１】
本発明は、機体外側に臨むホッパー装置と、このホッパー装置の外側に張り出す袋詰用の作業デッキとを備えるコンバインに関するものである。
【背景技術】
【０００２】
ホッパー装置と袋詰用の作業デッキとを備えるコンバインが知られている。このコンバインは、例えば特許文献１のごとく、機体外側に臨んで収穫穀物を袋詰めするためのホッパー装置と、このホッパー装置の外側に張り出す袋詰用の作業デッキとを備え、刈取、脱穀を行いつつ、脱穀された収穫穀物を作業デッキ上で袋詰めすることができ、この袋詰め作業に際して、作業デッキ上方に張出すように日除けを設けることにより、簡易な構成によって安定して作業者の作業環境の改善を図ることができる。
【特許文献１】実開平５−９２３６号公報
【発明の開示】
【発明が解決しようとする課題】
【０００３】
しかしながら、上記日除けは支柱に固定され、作業デッキの上方まで固定的に張出して構成されていることから、上記コンバインを車庫等の格納設備に格納する場合は広い空間を要するので、格納設備のために大きなコスト負担を強いられるという問題があった。
【０００４】
本発明の目的は、格納設備のために大きなコスト負担を要することなく、作業者の作業環境の改善を図ることができる簡易な構成のコンバインを提供することにある。
【課題を解決するための手段】
【０００５】
請求項１の発明は、機体外側に臨んで穀物を袋詰めするためのホッパー装置と、このホッパー装置の下方の部位から機体外側端に及ぶ範囲に形成した穀物袋詰め作業のための作業デッキとを備えるコンバインにおいて、上記ホッパー装置の上部から作業デッキの上方を覆って機体外側方まで張出し可能に可撓性の遮光シートを設けたことを特徴とする。
上記構成により、ホッパー上部から張出し可能な可撓性の日除シートは、作業デッキの外側端上方の張出し位置において作業デッキ上をカバーし、また、ホッパー装置の上部に戻すことによって日除シートの張出しが抑えられる。
【０００６】
請求項２の発明は、請求項１の構成において、前記ホッパー装置の外側に沿って延びる作業者用の手摺を設け、この手摺に基部を軸支することによって揺動可能に可動フレームを設け、この可動フレームに前記遮光シートの外側端を取付けたことを特徴とする。
上記構成により、日除シートは、ホッパー装置の手摺に軸支した可動フレームによって展開、収納される。
【０００７】
請求項３の発明は、請求項２の構成において、前記ホッパー装置の外側方に張出し可能に袋詰め作業者用の背もたれ部材を設け、この背もたれ部材と前記可動フレームとの間を連結部材によって連動動作可能に連結したことを特徴とする。
上記構成により、背もたれ部材の展開と収納の操作に伴い、連結部材を介して日除シートが連動動作する。
【発明の効果】
【０００８】
請求項１のコンバインは、ホッパー装置の上部から張出し可能な簡易な構成の日除により、機体格納時はホッパー装置の上部に収納できるので、格納設備のために大きなコスト負担を要することなく、作業者の作業環境の改善を図ることができる。
【０００９】
請求項２のコンバインは、請求項１の効果に加え、ホッパー装置の手摺に軸支した可動フレームによって日除シートの展開と収納ができるので、複雑な可動支持機構を要することなく、可動式の日除を簡易に構成することができる。
【００１０】
請求項３のコンバインは、請求項２の効果に加え、背もたれ部材の展開、収納の操作に伴い、日除シートの操作を要することなく、一括操作することができる。
【発明を実施するための最良の形態】
【００１１】
上記技術思想に基づいて具体的に構成された実施の形態について以下に図面を参照しつつ説明する。
本発明の適用対象となるコンバイン１は、その側面図および平面図を図１，図２にそれぞれ示すように、主要構成として、圃場から穀稈を刈取る刈取装置２、刈取った穀稈を受けて脱穀選別する脱穀装置３、脱穀選別された穀粒を袋詰めするためのホッパー装置４、このホッパー装置４の外側に沿う作業デッキ５等の作業装置と、走行手段である左右のクローラ６，６と、上記作業装置および機体走行を操作するための操縦部７等を備える。また、機体内には、コンバインの原動部であるエンジンとその制御装置、ＨＳＴと略称されて上記クローラの動力を前後進無段変速する静油圧式無段変速機構を組み込んだ走行伝動装置等を備える。
【００１２】
上記操縦部に構成した運転台には、オペレ―タの座席を中心に、モニターパネルおよびＨＳＴレバーと略称される前後進変速操作用の主変速レバー、機体の左右旋回と刈取装置の昇降をワンレバーに構成したパワステレバー、各種作業機器の操作のための各種のスイッチや操作レバー等が配置されるほか、これら操作具による操作信号および機器のセンサー信号によってエンジンを含む諸機器を制御する制御装置を備える。
【００１３】
（ホッパー装置）
ホッパー装置４について説明すると、ホッパー装置４は脱穀装置３と左右に並んで機体の片側に配置し、このホッパー装置４には機体外側に臨んで下端開口を形成した複数のホッパー４ａ…を備えて脱穀装置３から籾を受ける。これらホッパー４ａ…による袋詰め作業のために、ホッパー装置４の下部に作業デッキ５を形成し、ホッパー装置４の外側面には、手摺１１を固定する。作業デッキ５の外側端には、機体から外側方に張り出し可能に補助デッキ１２と背もたれ板１３を設け、作業デッキ５の上方には、可撓性の遮光シート１４を機体外側方まで張出し可能に設けて可動式の日除装置を構成する。
【００１４】
作業デッキ５は、ホッパー４ａの下部から機体外側端に及ぶ範囲に袋詰め作業のための作業床である。手摺１１は、袋詰めの作業姿勢を補助するために、ホッパー装置４の外側面に沿ってその両脇に回り込むように設ける。補助デッキ１２は、作業デッキ５の外側端に軸支し、張出し状態で袋詰め操作の作業スペースおよび袋詰めした穀物充填物等の搭載スペースを形成する。背もたれ板１３は、作業者の背中を受ける受板であり、ホッパー装置４から後方に延びる機体側のフレーム１５に軸支したＬ字状の支持フレーム１６によってホッパー装置４に近接する収納位置まで揺動可能に支持する。
【００１５】
遮光シート１４は、所定の引っ張り強度を有する布やビニールフィルム等によって形成する。その可動支持機構は、その要部斜視図を図３に示すように、ホッパー装置４の上部に取付けた上部フレーム２１と、ホッパー装置４の両脇に回り込むように延びる手摺１１に基部を軸支した略Ｕ字状の可動フレーム２２との間に遮光シート１４を架設して可動式に構成する。
【００１６】
上部フレーム２１と可動フレーム２２との間には、遮光シート１４にテンションを作用する屈曲可能な突張りリンク２３，２３を架設する。この突張りリンク２３，２３は上下方向にも少し曲がるようにクリアランスを設ける。遮光シート１４を閉じる際は、突張りリンク２３，２３の中間部を内方に押しながら閉じる。
【００１７】
上部フレーム２１には可動フレーム２２を収納位置に保持するためのクリップ状のキャッチャ２４を設ける。また、遮光シート１４と背もたれ板１３を連動動作させるために、遮光シート１４を結着した可動フレーム２２と背もたれ板１３の支持フレーム１６との間を連結部材２５によって連結する。
【００１８】
上記構成の遮光シート１４による可動式の日除装置は、可動フレーム２２を張出し位置に揺動操作することによって遮光シート１４がホッパー装置４から機体外方に展開されて作業デッキ５の上方を覆うことから、ホッパー装置４による袋詰め作業範囲の日射を遮るとともに、脱穀装置３の近傍から湧き上がる埃を受け止めて作業環境を改善することができる。
【００１９】
機体を格納する際は、可動フレーム２２をホッパー装置４の上部の上部フレーム２１の位置まで戻すことにより、キャッチャ２４によって収納位置に保持されるので、機体幅がコンパクト化されて格納設備に収容することができる。また、連結部材２５を介して可動フレーム２２と連結する背もたれ板１３を操作することによっても、遮光シート１４を展開、収納することができる。
【００２０】
（別構成例）
次に、日除装置の別の構成例について説明する。
コンバイン３１は、その側面図および平面図を図４，図５にそれぞれ示すように、操縦部７とホッパー装置４との間の位置に支柱３２を起設して操縦部７を覆う前部サンバイザ３３と作業デッキ５を覆う後部サンバイザ３４を取付ける。両サンバイザ３３，３４は、ホッパー装置４の上部に重なる位置まで回動可能に支柱３２に支持し、支柱３２は、両サンバイザ３３，３４がホッパー装置４の上面に載るように、伸縮可能に構成する。
【００２１】
また、背もたれ板１３は、両サンバイザ３３，３４と個別に操作できるように、ホッパー装置４から後方に延びる機体側のフレーム１５に軸支したＬ字状の支持フレーム１６によって可動式に構成する。そのほか、ホッパー装置４の外側面には、エンジン非常停止スイッチ３５を備える。
【００２２】
上記にように構成することにより、コンバイン３１の２つのサンバイザ３３，３４は、操縦部７と作業デッキ５をカバーするとともに、それぞれについて特段の格納スペースを要することなく、コンパクトに格納することができる。
【００２３】
（シャッター）
次に、ホッパーのシャッターについて説明する。
ホッパー４ａのシャッター機構４１は、その縦断側面図を図６に示すように、ホッパー４ａの下端開口を開閉するための前後方向にスライド可能なシャッター板４２に弾性部材４３を押圧することにより、シャッター板４２のスライド位置を保持するように構成する。弾性部材４３は、部分拡大図および部分破断正面図をそれぞれ図７，図８に示すように、取付穴４４を縦長に形成し、取付け位置を調節して弾性部材４３の下端で適宜の押圧力をシャッター板４２に作用させ、この状態で取付板４５によってボルト固定する。
【００２４】
上記弾性部材４３の押圧力により、シャッター板４２が自然に開くのを防止し、その押圧力は、取付穴４４の範囲で調節できるので、一般に適用されるスプリングとスチールボールによる高コストの押圧機構を要することなく、簡易な構成によって適正なシャッター開き荷重を設定することができる。
【００２５】
この場合において、取付板４５はシャッター板４２から所定の距離Ａを空けて弾性部材４３を片持状に保持することにより、弾性部材４３の撓みによって生じるシャッター板４２のコゼ等がなくなるので、開閉時の感触を向上することができる。
【００２６】
また、閉鎖状態の部分拡大断面図を図９に示すように、シャッター板４２を閉じる位置までスライドしたときに弾性部材４３が嵌入するようにシャッター板４２に受穴４６を形成することにより、その位置でシャッター板４２を確実に固定することができる。
【図面の簡単な説明】
【００２７】
【図１】コンバインの側面図
【図２】コンバインの平面図
【図３】日除装置の要部斜視図
【図４】別構成のコンバインの側面図
【図５】図４のコンバインの平面図
【図６】ホッパーの縦断側面図
【図７】図６の部分拡大図
【図８】図７の部分破断正面図
【図９】閉鎖状態の部分拡大断面図
【符号の説明】
【００２８】
１      コンバイン
３      脱穀装置
４      ホッパー装置
４ａ    ホッパー
５      作業デッキ
１１    手摺
１２    補助デッキ
１３    背もたれ板
１４    遮光シート
１５    フレーム
１６    支持フレーム
２１    上部フレーム
２２    可動フレーム
２５    連結部材
【図１】
2010094088.tif 000003
【図２】
2010094088.tif 000004
【図３】
2010094088.tif 000005
【図４】
2010094088.tif 000006
【図５】
2010094088.tif 000007
【図６】
2010094088.tif 000008
【図７】
2010094088.tif 000009
【図８】
2010094088.tif 000010
【図９】
2010094088.tif 000011